(57)【要約】【課題】メインで利用する同期装置と、一時的に利用する同期装置との間でユーザの労力なく個人利用情報を同期させる同期装置を提供する。【解決手段】自装置に通信ネットワークを介して接続された他の同期装置が同期するために利用される自装置更新情報を記憶するＮＶＲＡＭ内の自装置更新情報記憶部と、他の同期装置に自装置が同期するために利用する他装置更新情報を記憶するＲＡＭ内の他装置更新情報記憶部とを備える。そして、同期指示を入力している場合には、更新情報中継装置を介して他装置更新情報を受信してＮＶＲＡＭ内の他装置更新情報記憶部を更新する。また同期指示を入力していない場合には、更新情報中継装置を介して自装置更新情報を受信してＲＡＭ内の自装置更新情報記憶部を更新する。【選択図】図１
2013110697.tif 000002
【特許請求の範囲】
【請求項１】
自装置に通信ネットワークを介して接続された他の同期装置が同期するために利用される自装置更新情報を記憶する自装置更新情報記憶部と、
前記他の同期装置に自装置が同期するために利用する他装置更新情報を記憶する他装置更新情報記憶部と、
前記自装置更新情報および前記他装置更新情報について前記通信ネットワークを介して接続された更新情報中継装置へ送信する処理と、前記自装置更新情報と前記他装置更新情報を前記通信ネットワークから受信する処理とを行う更新情報送受信部と、
前記自装置更新情報記憶部で記憶する自装置更新情報と前記更新情報中継装置で記憶される自装置更新情報とを比較して、前記自装置更新情報記憶部で記憶する自装置更新情報よりも前記更新情報中継装置で記憶される自装置更新情報の更新時が最近である場合には当該更新情報中継装置で記憶される自装置更新情報を受信すると判定し、前記更新情報中継装置で記憶される自装置更新情報よりも前記自装置更新情報記憶部で記憶する自装置更新情報の更新時が最近である場合には当該自装置更新情報記憶部で記憶する自装置更新情報を前記更新情報中継装置へ送信すると判定する自装置更新情報同期判定部と、
前記他装置更新情報記憶部で記憶する他装置更新情報と前記更新情報中継装置で記憶される他装置更新情報とを比較して、前記他装置更新情報記憶部で記憶する他装置更新情報よりも前記更新情報中継装置で記憶される他装置更新情報の更新時が最近である場合には当該更新情報中継装置で記憶される他装置更新情報を受信すると判定し、前記更新情報中継装置で記憶される他装置更新情報よりも前記他装置更新情報記憶部で記憶する他装置更新情報の更新時が最近である場合には当該他装置更新情報記憶部で記憶する他装置更新情報を前記更新情報中継装置へ送信すると判定する他装置更新情報同期判定部と、
前記自装置を示す同期装置。
【請求項２】
前記他の同期装置との同期指示を入力していない場合には、前記自装置更新情報記憶部に記憶されている自装置更新情報を所定の処理に基づいて更新する自装置更新情報更新部と、
前記同期指示を入力している場合には、前記他装置更新情報記憶部に記憶されている他装置更新情報を所定の処理に基づいて更新する他装置更新情報更新部と、
を備えることを特徴とする請求項１に記載の同期装置。
【請求項３】
前記自装置更新情報同期判定部は、前記自装置更新情報が更新された場合に、前記自装置更新情報記憶部で記憶する自装置更新情報と前記更新情報中継装置で記憶される自装置更新情報とを比較し、
前記他装置更新情報同期判定部は、前記他装置更新情報が更新された場合に、前記他装置更新情報記憶部で記憶する他装置更新情報と前記更新情報中継装置で記憶される他装置更新情報とを比較する
ことを特徴とする請求項１または請求項２に記載の同期装置。
【請求項４】
前記自装置更新情報を前記更新情報中継装置より受信した場合には、前記自装置更新情報記憶部に記憶される自装置更新情報を、前記更新情報中継装置より受信した自装置更新情報へと書き換える自装置更新情報同期部と、
前記他装置更新情報を前記更新情報中継装置より受信した場合には、前記他装置更新情報記憶部に記憶される他装置更新情報を、前記更新情報中継装置より受信した他装置更新情報へと書き換える他装置更新情報同期部と、
を備えることを特徴とする請求項１から請求項３の何れか一項に記載の同期装置。
【請求項５】
前記自装置および前記他の同期装置は放送信号受信装置であることを特徴とする請求項１から請求項４の何れか一項に記載の同期装置。
【請求項６】
自装置に通信ネットワークを介して接続された他の同期装置が同期するために利用される自装置更新情報を自装置更新情報記憶部で記憶し、
前記他の同期装置に自装置が同期するために利用する他装置更新情報を他装置更新情報記憶部で記憶し、
前記自装置更新情報および前記他装置更新情報について前記通信ネットワークを介して接続された更新情報中継装置へ送信する処理と、前記自装置更新情報と前記他装置更新情報を前記通信ネットワークから受信する処理とを行い、
前記自装置更新情報記憶部で記憶する自装置更新情報と前記更新情報中継装置で記憶される自装置更新情報とを比較して、前記自装置更新情報記憶部で記憶する自装置更新情報よりも前記更新情報中継装置で記憶される自装置更新情報の更新時が最近である場合には当該更新情報中継装置で記憶される自装置更新情報を受信すると判定し、前記更新情報中継装置で記憶される自装置更新情報よりも前記自装置更新情報記憶部で記憶する自装置更新情報の更新時が最近である場合には当該自装置更新情報記憶部で記憶する自装置更新情報を前記更新情報中継装置へ送信すると判定し、
前記他装置更新情報記憶部で記憶する他装置更新情報と前記更新情報中継装置で記憶される他装置更新情報とを比較して、前記他装置更新情報記憶部で記憶する他装置更新情報よりも前記更新情報中継装置で記憶される他装置更新情報の更新時が最近である場合には当該更新情報中継装置で記憶される他装置更新情報を受信すると判定し、前記更新情報中継装置で記憶される他装置更新情報よりも前記他装置更新情報記憶部で記憶する他装置更新情報の更新時が最近である場合には当該他装置更新情報記憶部で記憶する他装置更新情報を前記更新情報中継装置へ送信すると判定する
ことを特徴とする前記自装置を示す同期装置の処理方法。
【請求項７】
コンピュータを、
自装置に通信ネットワークを介して接続された他の同期装置が同期するために利用される自装置更新情報を記憶する自装置更新情報記憶手段、
前記他の同期装置に自装置が同期するために利用する他装置更新情報を記憶する他装置更新情報記憶手段、
前記自装置更新情報および前記他装置更新情報について前記通信ネットワークを介して接続された更新情報中継装置へ送信する処理と、前記自装置更新情報と前記他装置更新情報を前記通信ネットワークから受信する処理とを行う更新情報送受信手段、
前記自装置更新情報記憶手段で記憶する自装置更新情報と前記更新情報中継装置で記憶される自装置更新情報とを比較して、前記自装置更新情報記憶手段で記憶する自装置更新情報よりも前記更新情報中継装置で記憶される自装置更新情報の更新時が最近である場合には当該更新情報中継装置で記憶される自装置更新情報を受信すると判定し、前記更新情報中継装置で記憶される自装置更新情報よりも前記自装置更新情報記憶手段で記憶する自装置更新情報の更新時が最近である場合には当該自装置更新情報記憶手段で記憶する自装置更新情報を前記更新情報中継装置へ送信すると判定する自装置更新情報同期判定手段、
前記他装置更新情報記憶手段で記憶する他装置更新情報と前記更新情報中継装置で記憶される他装置更新情報とを比較して、前記他装置更新情報記憶手段で記憶する他装置更新情報よりも前記更新情報中継装置で記憶される他装置更新情報の更新時が最近である場合には当該更新情報中継装置で記憶される他装置更新情報を受信すると判定し、前記更新情報中継装置で記憶される他装置更新情報よりも前記他装置更新情報記憶手段で記憶する他装置更新情報の更新時が最近である場合には当該他装置更新情報記憶手段で記憶する他装置更新情報を前記更新情報中継装置へ送信すると判定する他装置更新情報同期判定手段、
として前記自装置を示す同期装置を機能させるためのプログラム。
【発明の詳細な説明】
【技術分野】
【０００１】
本発明は、他の装置と情報を同期させる同期装置およびその処理方法とプログラムに関する。
【背景技術】
【０００２】
テレビ放送がアナログ放送からデジタル放送へと変更され、これに伴い、番組の映像や音声に加えて、放送番組に関連した様々なデータをデジタル放送によって伝送することができるようになった。そして、このように番組の映像や音声以外のデータを伝送することで、番組を観て楽しむ以外のサービスを視聴者に提供することが出来る。例えば、ポイントデータを伝送し、番組を視聴した視聴者が当該ポイントデータをテレビに記憶させることによって、視聴者に対してプレゼント懸賞に参加させる仕組みなどが存在する。当該サービスは、毎週放送される番組を所定回数以上観て、番組視聴時に伝送されたポイントデータを所定数取得した視聴者のみに懸賞への参加が許されるなどのサービスである。そしてこのようなポイントデータは、個人利用情報としてテレビ内部に備えられたＮＶＲＡＭなどの記憶部に格納される。なお、テレビ内部に記憶した個人利用情報をバックアップするための技術として、特許文献１および特許文献２に開示されている。
【先行技術文献】
【特許文献】
【０００３】
【特許文献１】特開２００５−３４１００８号公報
【特許文献２】特開２００５−３４０８８２号公報
【発明の概要】
【発明が解決しようとする課題】
【０００４】
ところで視聴者は、自宅などに設置されている特定のテレビで番組を観ることもあれば、外出先のテレビで番組を観ることもある。しかしながら上述のような懸賞サービスを受けたい視聴者が、自宅や外出先のテレビで番組を観たとしても、同一のテレビ内のＮＶＲＡＭにポイントデータが蓄積されないため、その視聴者は特定のテレビでポイントデータを所定数以上取得することができず、懸賞への参加ができない。また当該サービス以外であっても、今後の様々なサービスに伴って、自宅において主に利用しているテレビに蓄積されているデータを、外出先などの他のテレビで即時利用したい状況が発生する可能性が考えられる。
【０００５】
そこでこの発明は、上述の課題を解決することのできる同期装置およびその処理方法とプログラムを提供することを目的としている。
【課題を解決するための手段】
【０００６】
上記目的を達成するために、本発明は、自装置に通信ネットワークを介して接続された他の同期装置が同期するために利用される自装置更新情報を記憶する自装置更新情報記憶部と、前記他の同期装置に自装置が同期するために利用する他装置更新情報を記憶する他装置更新情報記憶部と、前記自装置更新情報および前記他装置更新情報について前記通信ネットワークを介して接続された更新情報中継装置へ送信する処理と、前記自装置更新情報と前記他装置更新情報を前記通信ネットワークから受信する処理とを行う更新情報送受信部と、前記自装置更新情報記憶部で記憶する自装置更新情報と前記更新情報中継装置で記憶される自装置更新情報とを比較して、前記自装置更新情報記憶部で記憶する自装置更新情報よりも前記更新情報中継装置で記憶される自装置更新情報の更新時が最近である場合には当該更新情報中継装置で記憶される自装置更新情報を受信すると判定し、前記更新情報中継装置で記憶される自装置更新情報よりも前記自装置更新情報記憶部で記憶する自装置更新情報の更新時が最近である場合には当該自装置更新情報記憶部で記憶する自装置更新情報を前記更新情報中継装置へ送信すると判定する自装置更新情報同期判定部と、前記他装置更新情報記憶部で記憶する他装置更新情報と前記更新情報中継装置で記憶される他装置更新情報とを比較して、前記他装置更新情報記憶部で記憶する他装置更新情報よりも前記更新情報中継装置で記憶される他装置更新情報の更新時が最近である場合には当該更新情報中継装置で記憶される他装置更新情報を受信すると判定し、前記更新情報中継装置で記憶される他装置更新情報よりも前記他装置更新情報記憶部で記憶する他装置更新情報の更新時が最近である場合には当該他装置更新情報記憶部で記憶する他装置更新情報を前記更新情報中継装置へ送信すると判定する他装置更新情報同期判定部と、前記自装置を示す同期装置である。
【０００７】
また本発明は、上述の同期装置において、前記他の同期装置との同期指示を入力していない場合には、前記自装置更新情報記憶部に記憶されている自装置更新情報を所定の処理に基づいて更新する自装置更新情報更新部と、前記同期指示を入力している場合には、前記他装置更新情報記憶部に記憶されている他装置更新情報を所定の処理に基づいて更新する他装置更新情報更新部と、を備えることを特徴とする。
【０００８】
また本発明は、上述の同期装置において、前記自装置更新情報同期判定部は、前記自装置更新情報が更新された場合に、前記自装置更新情報記憶部で記憶する自装置更新情報と前記更新情報中継装置で記憶される自装置更新情報とを比較し、前記他装置更新情報同期判定部は、前記他装置更新情報が更新された場合に、前記他装置更新情報記憶部で記憶する他装置更新情報と前記更新情報中継装置で記憶される他装置更新情報とを比較することを特徴とする。
【０００９】
また本発明は、上述の同期装置において、前記自装置更新情報を前記更新情報中継装置より受信した場合には、前記自装置更新情報記憶部に記憶される自装置更新情報を、前記更新情報中継装置より受信した自装置更新情報へと書き換える自装置更新情報同期部と、前記他装置更新情報を前記更新情報中継装置より受信した場合には、前記他装置更新情報記憶部に記憶される他装置更新情報を、前記更新情報中継装置より受信した他装置更新情報へと書き換える他装置更新情報同期部と、を備えることを特徴とする。
【００１０】
また本発明は、上述の同期装置において、前記自装置および前記他の同期装置は放送信号受信装置であることを特徴とする。
【００１１】
また本発明は、自装置に通信ネットワークを介して接続された他の同期装置が同期するために利用される自装置更新情報を自装置更新情報記憶部で記憶し、前記他の同期装置に自装置が同期するために利用する他装置更新情報を他装置更新情報記憶部で記憶し、前記自装置更新情報および前記他装置更新情報について前記通信ネットワークを介して接続された更新情報中継装置へ送信する処理と、前記自装置更新情報と前記他装置更新情報を前記通信ネットワークから受信する処理とを行い、前記自装置更新情報記憶部で記憶する自装置更新情報と前記更新情報中継装置で記憶される自装置更新情報とを比較して、前記自装置更新情報記憶部で記憶する自装置更新情報よりも前記更新情報中継装置で記憶される自装置更新情報の更新時が最近である場合には当該更新情報中継装置で記憶される自装置更新情報を受信すると判定し、前記更新情報中継装置で記憶される自装置更新情報よりも前記自装置更新情報記憶部で記憶する自装置更新情報の更新時が最近である場合には当該自装置更新情報記憶部で記憶する自装置更新情報を前記更新情報中継装置へ送信すると判定し、前記他装置更新情報記憶部で記憶する他装置更新情報と前記更新情報中継装置で記憶される他装置更新情報とを比較して、前記他装置更新情報記憶部で記憶する他装置更新情報よりも前記更新情報中継装置で記憶される他装置更新情報の更新時が最近である場合には当該更新情報中継装置で記憶される他装置更新情報を受信すると判定し、前記更新情報中継装置で記憶される他装置更新情報よりも前記他装置更新情報記憶部で記憶する他装置更新情報の更新時が最近である場合には当該他装置更新情報記憶部で記憶する他装置更新情報を前記更新情報中継装置へ送信すると判定することを特徴とする前記自装置を示す同期装置の処理方法である。
【００１２】
また本発明は、コンピュータを、自装置に通信ネットワークを介して接続された他の同期装置が同期するために利用される自装置更新情報を記憶する自装置更新情報記憶手段、前記他の同期装置に自装置が同期するために利用する他装置更新情報を記憶する他装置更新情報記憶手段、前記自装置更新情報および前記他装置更新情報について前記通信ネットワークを介して接続された更新情報中継装置へ送信する処理と、前記自装置更新情報と前記他装置更新情報を前記通信ネットワークから受信する処理とを行う更新情報送受信手段、前記自装置更新情報記憶手段で記憶する自装置更新情報と前記更新情報中継装置で記憶される自装置更新情報とを比較して、前記自装置更新情報記憶手段で記憶する自装置更新情報よりも前記更新情報中継装置で記憶される自装置更新情報の更新時が最近である場合には当該更新情報中継装置で記憶される自装置更新情報を受信すると判定し、前記更新情報中継装置で記憶される自装置更新情報よりも前記自装置更新情報記憶手段で記憶する自装置更新情報の更新時が最近である場合には当該自装置更新情報記憶手段で記憶する自装置更新情報を前記更新情報中継装置へ送信すると判定する自装置更新情報同期判定手段、前記他装置更新情報記憶手段で記憶する他装置更新情報と前記更新情報中継装置で記憶される他装置更新情報とを比較して、前記他装置更新情報記憶手段で記憶する他装置更新情報よりも前記更新情報中継装置で記憶される他装置更新情報の更新時が最近である場合には当該更新情報中継装置で記憶される他装置更新情報を受信すると判定し、前記更新情報中継装置で記憶される他装置更新情報よりも前記他装置更新情報記憶手段で記憶する他装置更新情報の更新時が最近である場合には当該他装置更新情報記憶手段で記憶する他装置更新情報を前記更新情報中継装置へ送信すると判定する他装置更新情報同期判定手段、として前記自装置を示す同期装置を機能させるためのプログラムである。
【発明の効果】
【００１３】
本発明によれば、ユーザの労力なく、一時的に利用する他の同期装置において、自宅などにおいてメインで利用する同期装置の個人利用情報を同期させて、更新することができる。また一時的に利用した他の同期装置において更新した個人利用情報についての更新情報を、ユーザの労力なく、メインで利用している同期装置に同期させることができる。
【図面の簡単な説明】
【００１４】
【図１】放送信号受信装置を備えた同期システムの構成を示すブロック図である。
【図２】放送信号受信装置の機能ブロック図である。
【図３】個人利用情報処理部の機能ブロック図である。
【図４】視聴者がメインで利用する放送信号受信装置の処理フローを示す第１の図である。
【図５】視聴者が一時的に利用する放送信号受信装置の処理フローを示す図である。
【図６】視聴者がメインで利用する放送信号受信装置の処理フローを示す第２の図である。
【発明を実施するための形態】
【００１５】
以下、本発明の一実施形態による同期装置を図面を参照して説明する。
本実施形態においては同期装置が放送信号受信装置である場合の例について説明する。
図１は同実施形態による放送信号受信装置を備えた同期システムの構成を示すブロック図である。
この図において、符号１ａ，１ｂは放送信号受信装置である。当該放送信号受信装置１ａ，１ｂは、テレビなどであり、自宅や外出先などに設置されている。なお、以降の説明において放送信号受信装置１ａ，放送信号受信装置１ｂを総称して放送信号受信装置１と呼ぶこととする。また符号２は更新情報中継装置である。当該更新情報中継装置２は、通信ネットワークを介して放送信号受信装置１ａと放送信号受信装置１ｂのそれぞれと接続されている。これにより、放送信号受信装置１ａは更新情報中継装置２を介して放送信号受信装置１ｂの送信した個人利用情報についての更新情報を受信することができる。また放送信号受信装置１ｂは更新情報中継装置２を介して放送信号受信装置１ａの送信した個人利用情報についての更新情報を受信することができる。なお、放送信号受信装置１は、放送信号を受信する携帯電話、ゲーム機、タブレットＰＣなどであってもよい。
【００１６】
図２は放送信号受信装置の機能ブロック図である。
この図が示すように、放送信号受信装置１は、放送受信部１１、ネットワーク通信部１２、制御部１３、ＮＶＲＡＭ（Non Volatile RAM；不揮発性メモリ）１７、ＲＡＭ（Random Access Memory）８、表示部１０１、操作検知部１０２を含んで構成される。また制御部１３は、通信制御部１４、表示制御部１５、個人利用情報処理部１６を含んで構成される。
【００１７】
放送受信部１１は、放送信号を受信する処理部である。当該放送信号はテレビ電波塔などから送信された信号であり、当該信号にはポイントデータなどの伝送情報が重畳されて伝送される。放送信号受信装置１は当該伝送情報の中から所定の個人利用情報を蓄積する。
ネットワーク通信部１２は、更新情報中継装置２と通信ネットワークを介して情報を送受信する処理部である。通信ネットワークは、たとえばインターネット網などである。
制御部１３は、放送信号受信装置１の各処理部を制御するとともに、当該制御部１３に備えられた通信制御部１４により通信制御を行い、表示制御部１５により表示制御を行い、個人利用情報処理部１６により同期処理を行う。本実施形態において個人利用情報処理部１６は、更新情報中継装置２が通信ネットワークを介して接続している他の放送信号受信装置１の個人利用情報についての更新情報を同期する処理を行い、自装置の記憶する個人利用情報についての更新情報を他の放送信号受信装置１に同期させるための処理を行う。
【００１８】
ＮＶＲＡＭ１７は、放送信号に重畳された伝送情報のうち制御部１３が蓄積すると判断した個人利用情報やその更新情報を記憶する記憶部である。
ＲＡＭ１８は、ネットワーク通信部１２が更新情報中継装置２より受信した他の放送信号受信装置１の個人利用情報についての更新情報を記憶する記憶部である
表示部１０１は放送信号受信装置１が受信した映像を表示し、また個人利用情報を表示する処理部である。
操作検知部１０２は、リモコンやタッチパネルなどによりユーザが入力した操作を検知する処理部である。操作検知部１０２は、制御部１３に対して操作検知情報を出力し、これにより制御部１３が操作検知情報に基づく制御を行う。
このほか、放送信号受信装置１は、音声出力部などを備えるが、説明の便宜上、それら全ての機能の説明については省略する。
【００１９】
図３は個人利用情報処理部の機能ブロック図である。
この図が示すように個人利用情報処理部１６は、複数の処理部の機能を有する。つまり、個人利用情報処理部１６は、更新情報送受信部１６１、自装置更新情報更新部１６２、他装置更新情報更新部１６３、自装置更新情報同期判定部１６４、他装置更新情報同期判定部１６５、自装置更新情報同期部１６６、他装置更新情報同期部１６７の各処理部を備えている。
なお、図３では、説明の便宜上ＮＶＲＡＭ１７とＲＡＭ１８をさらに示している。当該ＮＶＲＡＭ１７は、自装置に通信ネットワークを介して接続された他の放送信号受信装置１が自装置に同期するために利用する個人利用情報の更新情報（以下、自装置更新情報と呼ぶ）を記憶する自装置更新情報記憶部１７０を有している。またＲＡＭ１８は、他の放送信号受信装置１に自装置が同期するために利用する個人利用情報の更新情報（以下、他装置更新情報と呼ぶ）を記憶する他装置更新情報記憶部１８０を有している。
【００２０】
また個人利用情報処理部１６において、更新情報送受信部１６１は、自装置更新情報および他装置更新情報を、通信ネットワークを介して接続された更新情報中継装置２へ送信する処理と、更新情報中継装置２に記憶されている自装置更新情報と他装置更新情報を通信ネットワークから受信する処理とを行う処理部である。
また自装置更新情報更新部１６２は、他の放送信号受信装置１との同期指示を入力していない場合に、自装置更新情報記憶部１７０に記憶されている自装置更新情報を所定の処理に基づいて更新する処理部である。所定の処理とは、例えば個人利用情報が放送波によって伝送されたポイントデータである場合には、当該ポイントデータの記録操作入力に基づく処理である。
また他装置更新情報更新部１６３は、同期指示を入力している場合に、他装置更新情報記憶部１８０に記憶されている他装置更新情報を所定の処理に基づいて更新する処理部である。なお同期指示とは、他の放送信号受信装置１に記録されている個人利用情報と同期することを示す指示であり、操作検知部１０２が当該指示を検知する。
【００２１】
また自装置更新情報同期判定部１６４は、自装置更新情報記憶部１７０で記憶する自装置更新情報と、更新情報中継装置２で記憶される自装置更新情報とを比較する処理部である。なお、自装置更新情報同期判定部１６４は、自装置更新情報が更新された場合に、自装置更新情報記憶部１７０で記憶する自装置更新情報を更新情報中継装置２へ送信する。また自装置更新情報同期判定部１６４は、自装置更新情報記憶部１７０で記憶する自装置更新情報よりも更新情報中継装置２で記憶される自装置更新情報の更新時が最近である場合には、当該更新情報中継装置２で記憶される自装置更新情報を受信すると判定する。また自装置更新情報同期判定部１６４は、更新情報中継装置２で記憶される自装置更新情報よりも自装置更新情報記憶部１７０で記憶する自装置更新情報の更新時が最近である場合には当該自装置更新情報記憶部１７０で記憶する自装置更新情報を更新情報中継装置２へ送信すると判定する。
【００２２】
また他装置更新情報同期判定部１６５は、他装置更新情報記憶部１８０で記憶する他装置更新情報と、更新情報中継装置２で記憶される他装置更新情報とを比較する処理部である。なお他装置更新情報同期判定部１６５は、他装置更新情報が更新された場合に、他装置更新情報記憶部１８０で記憶する他装置更新情報を更新情報中継装置２へ送信する。また他装置更新情報同期判定部１６５は、他装置更新情報記憶部１８０で記憶する他装置更新情報よりも更新情報中継装置２で記憶される他装置更新情報の更新時が最近である場合には当該更新情報中継装置２で記憶される他装置更新情報を受信すると判定する。また他装置更新情報同期判定部１６５は、更新情報中継装置２で記憶される他装置更新情報よりも他装置更新情報記憶部１８０で記憶する他装置更新情報の更新時が最近である場合には当該他装置更新情報記憶部１８０で記憶する他装置更新情報を、更新情報中継装置２へ送信すると判定する。
【００２３】
また自装置更新情報同期部１６６は、自装置更新情報を更新情報中継装置２より受信した場合に、自装置更新情報記憶部１７０に記憶される自装置更新情報を、更新情報中継装置２より受信した自装置更新情報へと書き換える処理部である。
また他装置更新情報同期部１６７は、他装置更新情報を更新情報中継装置２より受信した場合には、他装置更新情報記憶部１８０に記憶される他装置更新情報を、更新情報中継装置２より受信した他装置更新情報へと書き換える処理部である。
【００２４】
そして、このような複数の放送信号受信装置１が更新情報中継装置２を介して通信ネットワークで接続されることにより、視聴者がメインで利用している一方の放送信号受信装置１で利用する個人利用情報を、一時的に利用する他方の放送信号受信装置１で容易に同期させて利用することができる。また一時的に利用した他方の放送信号受信装置１で更新した個人利用情報を、メインで利用している放送信号受信装置１側で同期させて、最新の個人利用情報として利用することができるようになる。
【００２５】
図４は、視聴者がメインで利用する放送信号受信装置の処理フローを示す第１の図である。
以下、放送信号受信装置１の処理の詳細について順を追って説明する。この際、ユーザが自宅等においてメインで利用している放送信号受信装置１を放送信号受信装置１ａとし、外出先などの一時的に利用する放送信号受信装置１を放送信号受信装置１ｂとして説明する。
【００２６】
まず、メインで利用される放送信号受信装置１ａを用いて視聴者が番組を視聴しており、この時、他の放送信号受信装置１ｂとの同期指示を入力していないものとする。同期指示を入力しているかどうかの情報は、例えば放送信号受信装置１ａの有するメモリ内に記録されているものとする。このような状況において、メインで利用される放送信号受信装置１ａにおいて、個人利用情報の蓄積の指示を入力すると（ステップＳ１０１）、自装置更新情報更新部１６２は、同期指示の有無をメモリに記録されている情報から検出する（ステップＳ１０２）。自装置更新情報更新部１６２は、同期指示が無いことを検出すると、放送信号から個人利用情報（例えばポイントデータ）を抽出し（ステップＳ１０３）、当該抽出した個人利用情報と更新日時とを自装置更新情報記憶部１７０に記録する（ステップＳ１０４）。つまり、これにより、自装置更新情報記憶部１７０において、個人利用情報についての自装置更新情報が更新される。
【００２７】
そして、自装置更新情報が更新されると自装置更新情報同期判定部１６４は、その更新を検知する（ステップＳ１０５）。すると自装置更新情報同期判定部１６４は、更新情報中継装置２への更新ロック要求を送信するよう更新情報送受信部１６１に指示する。すると更新情報送受信部１６１は、更新ロック要求と、メモリに記録されている視聴者固有のＩＤ、パスワードの更新情報中継装置２への送信処理を行う（ステップＳ１０６）。そして通信制御部１４とネットワーク通信部１２の処理を介して、更新情報中継装置２が更新ロック要求と、ＩＤ、パスワードを受信する。更新情報中継装置２は、当該更新ロック要求、ＩＤ、パスワードを受信すると、当該ＩＤとパスワードに対応付けて記憶する他装置更新情報への更新をロックし待機する。
【００２８】
そして自装置更新情報同期判定部１６４は、更新ロック要求を送信した後に、自装置更新情報を同期させると判定し、更新情報送受信部１６１へ自装置更新情報をアップロードするよう指示する。すると更新情報送受信部１６１は、自装置更新情報記憶部１７０から、更新された自装置更新情報と更新日時とを読み取り、またメモリから視聴者固有のＩＤやパスワードを読み取って、自装置更新情報と、更新日時と、ＩＤ、パスワードを更新情報中継装置２へアップロードする処理を行う（ステップＳ１０７）。すると、通信制御部１４とネットワーク通信部１２の処理により、自装置更新情報と、更新日時と、ＩＤ、パスワードが更新情報中継装置２へ送信される。これにより、更新情報中継装置２は、ＩＤ、パスワードに対応付けて、放送信号受信装置１ａを利用して番組を視聴する視聴者の個人利用情報についての自装置更新情報を更新し、当該自装置更新情報と、更新日時と対応付けて記憶する。
そして、視聴者の操作に基づいて、更新情報が更新されるたびに、同様の処理によって、更新情報中継装置２の記憶する放送信号受信装置１ａの個人利用情報が最近更新された情報に更新される。
【００２９】
図５は、視聴者が一時的に利用する放送信号受信装置の処理フローを示す図である。
視聴者は、外出先のホテルなどに設置されている放送信号受信装置１ｂを用いて、自宅でメインに利用する放送信号受信装置１ａに蓄積されている個人利用情報を利用、更新することができる。この場合、視聴者は放送信号受信装置１ｂに自身のＩＤとパスワードを入力し、同期指示を入力する（ステップＳ２０１）。すると、放送信号受信装置１ｂの個人利用情報処理部１６は、メモリ等に、入力したＩＤ、パスワード、同期指示有りを示す情報を記録する。
【００３０】
次に個人利用情報処理部１６は、同期指示有りを検出する（ステップＳ２０２）。すると他装置更新情報同期判定部１６５が更新情報送受信部１６１に対してＩＤ、パスワードで特定される他装置更新情報をダウンロードするよう指示する。これにより、更新情報送受信部１６１は、更新情報中継装置２に対してＩＤとパスワードを送信する（ステップＳ２０３）。ＩＤとパスワードは、通信制御部１４、ネットワーク通信部１２を介して更新情報中継装置２へ送信される。そして更新情報中継装置２は、ＩＤとパスワードに対応付けて記憶している他装置更新情報を、放送信号受信装置１ｂへ送信する。なお当該他装置更新情報は、図４の処理フローの説明において放送信号受信装置１ａが更新情報中継装置２へアップロードした自装置更新情報である。そして、放送信号受信装置１ｂにおいて更新情報送受信部１６１が他装置更新情報を受信すると（ステップＳ２０４）、他装置更新情報同期判定部１６５は、当該他装置更新情報を用いて個人利用情報について放送信号受信装置１ａと同期すると判定し、受信した他装置更新情報を記録するよう他装置更新情報同期部１６７に指示する。すると、他装置更新情報同期部１６７は、他装置更新情報を他装置更新情報同期判定部１６５より入力して、視聴者操作により入力したＩＤとパスワードに対応付けて当該他装置更新情報をＲＡＭ１８内の他装置更新情報記憶部１８０へ記録する（ステップＳ２０５）。
【００３１】
そして、放送信号受信装置１ｂの他装置更新情報更新部１６３は、同期指示有りを記憶している間、個人利用情報の蓄積の指示があった場合には、ＲＡＭ１８に記録されている個人利用情報についての他装置更新情報を更新する（ステップＳ２０６）。つまり、個人利用情報の蓄積の指示が与えられると、他装置更新情報更新部１６３は、同期指示の有無をメモリに記録されている情報から検出する。他装置更新情報更新部１６３は、同期指示が有ることを検出すると、放送信号から個人利用情報（例えばポイントデータ）を抽出し、当該抽出した個人利用情報と更新日時とを他装置更新情報記憶部１８０に記録する。つまり、これにより、他装置更新情報記憶部１８０において個人利用情報についての他装置更新情報が更新される。
このように他装置更新情報については、自装置更新情報が記録されているＮＶＲＡＭとは異なる記憶部であるＲＡＭ１８内の他装置更新情報記憶部１８０に記録するため、自装置更新情報を削除せずに、自装置更新情報と他装置更新情報とを別々に管理することができる。
【００３２】
そして、他装置更新情報が更新されると他装置更新情報同期判定部１６５は、その更新を検知する（ステップＳ２０７）。すると他装置更新情報同期判定部１６５は、更新情報中継装置２への更新ロック要求を送信するよう更新情報送受信部１６１に指示する。すると更新情報送受信部１６１は、更新ロック要求と、メモリに記録されている視聴者固有のＩＤ、パスワードの送信処理を行う（ステップＳ２０８）。そして通信制御部１４とネットワーク通信部１２の処理を介して、更新情報中継装置２が更新ロック要求と、ＩＤ、パスワードを受信する。更新情報中継装置２は、当該更新ロック要求、ＩＤ、パスワードを受信すると、当該ＩＤとパスワードに対応付けて記憶する他装置更新情報への更新をロックし待機する。
【００３３】
そして他装置更新情報同期判定部１６５は、更新ロック要求を送信した後に、他装置更新情報を同期させると判定し、更新情報送受信部１６１へ他装置更新情報をアップロードするよう指示する。すると更新情報送受信部１６１は、他装置更新情報記憶部１８０から、更新された他装置更新情報と更新日時とを読み取り、またメモリから視聴者固有のＩＤやパスワードを読み取って、他装置更新情報と、更新日時と、ＩＤ、パスワードを更新情報中継装置２へアップロードする処理を行う（ステップＳ２０９）。すると、通信制御部１４とネットワーク通信部１２の処理により、他装置更新情報と、更新日時と、ＩＤ、パスワードが更新情報中継装置２へ送信される。これにより、更新情報中継装置２は、ＩＤ、パスワードに対応付けて、一時的に放送信号受信装置１ｂを利用して番組を視聴する視聴者の個人利用情報についての他装置更新情報を更新し、当該他装置更新情報と、更新日時と対応付けて記憶する。
そして、視聴者の操作に基づいて、更新情報が更新されるたびに、同様の処理によって、更新情報中継装置２の記憶する他装置更新情報が最近更新された情報に更新される。
以上の処理によれば、同期指示の操作を行うだけで、視聴者の労力なく、当該視聴者がメインで利用している放送信号受信装置１ａに蓄積されている個人利用情報を、放送信号受信装置１ｂにおいて更新することが可能となる。
【００３４】
図６は、視聴者がメインで利用する放送信号受信装置の処理フローを示す第２の図である。
視聴者が外出先から自宅に戻って、再度、メインに利用している自宅の放送信号受信装置１ａによって番組を視聴するとする。この場合視聴者は放送信号受信装置１ａの主電源をＯＮする（ステップＳ３０１）。すると放送信号受信装置１ａの自装置更新情報同期判定部１６４は、更新情報中継装置２から自装置更新情報を取得するよう更新情報送受信部１６１へ指示する。すると、更新情報送受信部１６１は、メモリ等に記録されている視聴者固有のＩＤやパスワードと更新日時要求とを更新情報中継装置２へ送信する処理を行う（ステップＳ３０２）。すると、視聴者固有のＩＤやパスワード、更新日時要求は、通信制御部１４、ネットワーク通信部１２の処理に基づいて更新情報中継装置２へ送信される。
【００３５】
次に更新情報送受信部１６１は、ＩＤやパスワードに対応付けて更新情報中継装置２が記憶している自装置更新情報の更新日時を当該更新情報中継装置２から受信する（ステップＳ３０３）。なお自装置更新情報が更新情報中継装置２に記録されていない場合には、日時の値の無い更新日時を受信する。そして、自装置更新情報同期判定部１６４は、自装置更新情報記憶部１７０に記録されている最後に更新した更新日時を読み取り、更新情報中継装置２より受信した自装置更新情報についての更新日時と比較する（ステップＳ３０４）。
【００３６】
そして、自装置更新情報同期判定部１６４は、更新情報中継装置２より受信した自装置更新情報についての更新日時が、自装置更新情報記憶部１７０から読み取った更新日時より最近である場合には、更新情報送受信部１６１に対して自装置更新情報のダウンロードを要求する。すると、更新情報送受信部１６１は、メモリに記録されている視聴者固有のＩＤとパスワードと自装置更新情報要求を送信する処理を行う（ステップＳ３０５）。これにより、通信制御部１４、ネットワーク通信部１２の処理により、視聴者固有のＩＤとパスワードと自装置更新情報要求が、更新情報中継装置２へ送信される。すると更新情報中継装置２は、ＩＤとパスワードに対応付けて記憶する放送信号受信装置１ａの自装置更新情報を、当該放送信号受信装置１ａへ送信する。なお、当該自装置更新情報は、放送信号受信装置１ｂによって更新された他装置更新情報である。
【００３７】
そして、更新情報送受信部１６１が、ネットワーク通信部１２、通信制御部１４を介して自装置更新情報を受信し（ステップＳ３０６）、自装置更新情報同期判定部１６４へ出力する。すると自装置更新情報同期判定部１６４は、自装置更新情報を自装置更新情報同期部１６６へ出力し、自装置更新情報同期部１６６が、自装置更新情報と、メモリに記録されている視聴者固有のＩＤとパスワードとを対応付けて、自装置更新情報記憶部１７０へ記録する（ステップＳ３０７）。
【００３８】
なお、図６で示す処理フローにおいては、放送信号受信装置１ａの主電源がＯＮされた場合に自装置更新情報を取得する処理となっている。しかしながら、放送信号受信装置１ａの主電源がＯＦＦであっても、待機電力を用いて、定期的に自装置更新情報を、更新情報中継装置２から受信するようにしてもよい。また、放送信号受信装置１ａの主電源がＯＮされた場合でなくとも、当該放送信号受信装置１ａは、主電源ＯＮが継続中に、定期的にステップＳ３０２からの処理を行うようにして、自装置更新情報を更新するようにしてもよい。
【００３９】
上述の図４〜図６の処理においては、一時的に利用される放送信号受信装置１ｂの１台のみが存在する場合について説明しているが、さらに複数台の一時的に利用される放送信号受信装置１ｂが通信ネットワークに接続されているような状況があってもよい。この場合、複数の放送信号受信装置１ｂから同時間帯に更新情報中継装置２に接続されアクセスされて、自装置更新情報や他装置更新情報が更新されるようにしてもよい。この時、上述の更新ロック要求によって、他装置との更新タイミングの競合をすることなく更新情報中継装置２において更新処理が行われる。
上述の処理によれば、放送信号受信装置１ａにおいて記録される個人利用情報が、外出先の他の放送信号受信装置１ｂにおいて更新された個人利用情報へと更新することができる。
【００４０】
以上、本発明の実施形態について説明したが、上述の処理によれば、ユーザの労力なく、一時的に利用する他の放送信号受信装置において、自宅などにおいてメインで利用する放送信号受信装置の個人利用情報を同期させて、更新することができる。また一時的に利用した他の放送信号受信装置において更新した個人利用情報についての更新情報を、ユーザの労力なく、メインで利用している放送信号受信装置に同期させることができる。この時、自装置更新情報と、他装置更新情報とを、別々の記憶領域で管理するため、他装置更新情報を受信する際に、放送信号受信装置１で蓄積していた自装置更新情報を削除することなく、他装置更新情報を一時的に記憶することができる。
【００４１】
ところで、上述の図３においては、自装置更新情報記憶部１７０をＮＶＲＡＭ１７に構成し、他装置更新情報記憶部１８０をＲＡＭ１８内に構成している。しかしながら第１のＮＶＲＡＭ１７ａと第２のＮＶＲＡＭ１７ｂを備え、第１のＮＶＲＡＭ１７ａに自装置更新情報記憶部１７０を構成し、第２のＮＶＲＡＭ１７ｂに他装置更新情報記憶部１８０を構成するようにしてもよい。
【００４２】
なお、上述の放送信号受信装置は内部に、コンピュータシステムを有している。そして、上述した各処理の過程は、プログラムの形式でコンピュータ読み取り可能な記録媒体に記憶されており、このプログラムをコンピュータが読み出して実行することによって、上記処理が行われる。ここでコンピュータ読み取り可能な記録媒体とは、磁気ディスク、光磁気ディスク、ＣＤ−ＲＯＭ、ＤＶＤ−ＲＯＭ、半導体メモリ等をいう。また、このコンピュータプログラムを通信回線によってコンピュータに配信し、この配信を受けたコンピュータが当該プログラムを実行するようにしても良い。
【００４３】
また、上記プログラムは、前述した機能の一部を実現するためのものであっても良い。さらに、前述した機能をコンピュータシステムにすでに記録されているプログラムとの組み合わせで実現できるもの、いわゆる差分ファイル（差分プログラム）であっても良い。
【符号の説明】
【００４４】
１，１ａ，１ｂ・・・放送信号受信装置
２・・・更新情報中継装置
１１・・・放送受信部
１２・・・ネットワーク通信部
１３・・・制御部
１４・・・通信制御部
１５・・・表示制御部
１６・・・個人利用情報処理部
１７・・・ＮＶＲＡＭ
１８・・・ＲＡＭ
１０１・・・表示部
１０２・・・操作検知部
１６１・・・更新情報送受信部
１６２・・・自装置更新情報更新部
１６３・・・他装置更新情報更新部
１６４・・・自装置更新情報同期判定部
１６５・・・他装置更新情報同期判定部
１６６・・・自装置更新情報同期部
１６７・・・他装置更新情報同期部
１７０・・・自装置更新情報記憶部
１８０・・・他装置更新情報記憶部
【図１】
2013110697.tif 000003
【図２】
2013110697.tif 000004
【図３】
2013110697.tif 000005
【図４】
2013110697.tif 000006
【図５】
2013110697.tif 000007
【図６】
2013110697.tif 000008